(57)【要約】      （修正有）【課題】ユーザが所在する場所の状況に応じた認証を行う。【解決手段】端末（１）は、位置情報検出部（１３）と、制御部（１８）と、を備えている。制御部は、位置情報検出部が検出した、端末の位置情報を参照して認証方式を特定し、特定した認証方式による認証を行う。端末はさらに、時刻情報出力部（１８４）と、通信部（１１）とを備え、制御部（１８）は、時刻情報出力部（１８４）から時刻情報を取得し、位置情報が示す位置で行われるイベントに関するイベント情報を、通信部（１１）を介して取得し、時刻情報およびイベント情報を参照して認証方式を特定する。【選択図】図１
2019075007.tif 000002
【特許請求の範囲】
【請求項１】
位置情報検出部と、制御部と、を備えた携帯端末装置であって、
上記制御部は、
上記位置情報検出部が検出した上記携帯端末装置の位置情報を参照して認証方式を特定し、
特定した認証方式による認証を行う
ことを特徴とする携帯端末装置。
【請求項２】
時刻情報出力部と、通信部と、をさらに備え、
上記制御部は、
上記時刻情報出力部から時刻情報を取得し、
上記位置情報が示す位置で行われるイベントに関するイベント情報を、上記通信部を介して取得し、
上記時刻情報、および、上記イベント情報を参照して上記認証方式を特定することを特徴とする請求項１に記載の携帯端末装置。
【請求項３】
上記制御部は、
上記位置情報を参照して、上記携帯端末装置のユーザが移動中か否かを判定し、
上記位置情報、および、上記判定した結果を参照して、認証方式を特定することを特徴とする請求項１に記載の携帯端末装置。
【請求項４】
携帯端末装置であって、
当該携帯端末装置の位置情報を取得する位置情報取得部と、
上記位置情報に応じて、認証方式を特定する認証方式特定部と、
上記認証方式特定部が特定した認証方式による認証を行う認証部と、
を備えていることを特徴とする携帯端末装置。
【請求項５】
位置情報検出部を備えた携帯端末装置の制御部としてコンピュータを機能させるための制御プログラムであって、上記コンピュータを、
上記位置情報検出部が検出した上記携帯端末装置の位置情報を参照して認証方式を特定し、
特定した認証方式による認証を行う制御部、
として機能させるための制御プログラム。
【発明の詳細な説明】
【技術分野】
【０００１】
本発明は、携帯端末装置、および、制御プログラムに関する。
【背景技術】
【０００２】
近年、ユーザの使用環境に応じて適切な認証手段を起動させる認証システムが開発されている。例えば、特許文献１には、認証システムにおいて、「認証要求の入力」が行われた場合に、周辺の音の大きさが所定の閾値未満であるときに声紋認証を行う技術が開示されている。
【先行技術文献】
【特許文献】
【０００３】
【特許文献１】特許第５４２９９０５号公報（２０１３年１２月１９日）
【発明の概要】
【発明が解決しようとする課題】
【０００４】
しかしながら、従来技術は、周辺の明るさ、音の大きさ、温度、湿度等の物理的な使用環境に応じた認証手段を選ぶことはできるが、そのときにユーザがいる場所の状況に適した認証方式を選ぶことができないという問題がある。例えば、従来技術では周辺の音が小さい場合には声紋認証を行うが、コンサートホールでイベントが行われている場合には、周辺の音が小さくても、周囲の人々がイベントの鑑賞中であるので、声紋認証等の、音声を発することが必要な認証は使用するべきではない。
【０００５】
本発明の一態様は、ユーザが所在する場所の状況に応じた認証を行うことを目的とする。
【課題を解決するための手段】
【０００６】
上記の課題を解決するために、本発明の一態様に係る携帯端末装置は、位置情報検出部と、制御部と、を備えた携帯端末装置であって、上記制御部が、上記位置情報検出部が検出した上記携帯端末装置の位置情報を参照して認証方式を特定し、特定した認証方式による認証を行う。
【０００７】
また、上記の課題を解決するために、本発明の一態様に係る携帯端末装置は、当該携帯端末装置の位置情報を取得する位置情報取得部と、上記位置情報に応じて、認証方式を特定する認証方式特定部と、上記認証方式特定部が特定した認証方式による認証を行う認証部と、を備えている。
【０００８】
また、上記の課題を解決するために、本発明の一態様に係る制御プログラムは、位置情報検出部を備えた携帯端末装置の制御部としてコンピュータを機能させるための制御プログラムであって、上記コンピュータを、上記位置情報検出部が検出した上記携帯端末装置の位置情報を参照して認証方式を特定し、特定した認証方式による認証を行う制御部、として機能させるためのものである。
【発明の効果】
【０００９】
本発明の一態様によれば、ユーザが所在する場所の状況に応じた認証を行うことができる。
【図面の簡単な説明】
【００１０】
【図１】本発明の実施形態１に係る端末の要部構成を示すブロック図である。
【図２】本発明の実施形態１に係る認証方式の例を示す図である。
【図３】本発明の実施形態１に係る基礎情報の例を示す図である。
【図４】本発明の実施形態１に係る認証方式の自動選定例を示す図である。
【図５】本発明の実施形態１に係る、位置情報を利用して認証方式を選択する処理を示すフローチャートである。
【図６】本発明の実施形態１に係る、時刻情報、イベント情報を利用して認証方式を選択する処理を示すフローチャートである。
【図７】本発明の実施形態１に係る、速度情報を利用して認証方式を選択する処理を示すフローチャートである。
【図８】本発明の実施形態１に係るイベントの混雑判定の基準例を示す図である。
【発明を実施するための形態】
【００１１】
〔実施形態１〕
以下、本発明の一実施形態について、詳細に説明する。
【００１２】
（端末１の構成）
図１は、本実施形態に係る端末１の要部構成を示すブロック図である。図１に示すように、端末（携帯端末装置）１は、通信部１１、表示部１２、位置情報検出部１３、時計（時刻情報出力部）１４、カメラ１５、マイク１６、指紋センサ１７、制御部１８、および、記憶部１９を備えている。
【００１３】
通信部１１は、ネットワークに接続されたサーバ（データベースを含む）からデータを受信する。表示部１２は、ユーザに通知する対象のデータ（認証方式の候補等）を画面に表示するものであり、例えば、ＬＣＤ（Liquid Crystal Display）等で構成される。表示部１２は、データを画面に表示するだけでなく、ユーザの指が画面に接触したことを検知することにより、ユーザによる画面への入力を取得するものであってもよい。なお、端末１は、ユーザによる入力を、表示部１２とは異なる部分に備えられたキーボード、ボタン等から取得してもよい。
【００１４】
位置情報検出部１３は、現在の位置情報（緯度、経度、高度、速度等）を検出して、データとして出力するものであり、例えば、ＧＰＳ（Global Positioning System）受信機等で構成される。時計１４は、現在の時刻情報を出力する。時計１４は、外部から現在の時刻情報を取得し、当該時刻情報を制御部１８に出力する電波時計であってもよい。
【００１５】
カメラ１５は、ユーザの顔、虹彩等を撮影して、認証用画像データとして出力する。マイク１６は、ユーザの音声を入力し、電気信号に変換して、認証用音声データとして出力する。指紋センサ１７は、ユーザの指紋を撮影して、認証用画像データとして出力する。
【００１６】
制御部１８は、端末１全体を制御するものであり、例えば、少なくとも１つのＣＰＵ（Central Processing Unit）等のプロセッサが制御プログラムを実行することにより実現される。制御プログラムは、端末１の制御部１８としてコンピュータを機能させるためのものである。記憶部１９は、制御部１８による端末１全体の制御に必要なデータ、上記制御プログラム等を記憶するものであり、例えば、ＨＤＤ（Hard Disk Drive）、ＳＳＤ（Solid State Drive）等で構成される。記憶部１９は、例えば、地図データを記憶している。
【００１７】
（制御部１８の機能ブロック）
図１に示すように、制御部１８は、位置情報取得部１８１、認証方式選択部（認証方式特定部）１８２、認証部１８３、時刻情報取得部１８４、イベント情報取得部１８５、および、移動判定部１８６を機能ブロックとして備えている。
【００１８】
位置情報取得部１８１は、位置情報検出部１３から端末１の位置情報を取得する。認証方式選択部１８２は、位置情報取得部１８１が取得した位置情報（位置情報検出部１３が検出した端末１の位置情報）を参照して認証方式を選択（特定）する。認証部１８３は、認証方式選択部１８２が選択（特定）した認証方式による認証を行う。時刻情報取得部１８４は、通信部１１、または、時計１４から時刻情報を取得する。
【００１９】
イベント情報取得部１８５は、取得した位置情報が示す位置で行われるイベントに関するイベント情報を、通信部１１を介して取得する。この場合、認証方式選択部１８２は、時刻情報、および、イベント情報を参照して、認証方式を選択（特定）する。
【００２０】
移動判定部１８６は、位置情報検出部１３から速度データを取得して、当該速度データ（位置情報）を参照して端末１のユーザが移動中か否かを判定する。この場合、認証方式選択部１８２は、位置情報、および、当該判定した結果を参照して、認証方式を選択（特定）する。
【００２１】
なお、イベント情報取得部１８５は、取得した位置情報が示す位置で、取得した時刻情報が示す時刻に行われるイベントに関するイベント情報を、通信部１１を介して取得してもよい。この場合、認証方式選択部１８２は、取得したイベント情報に応じて認証方式を選択する。
【００２２】
（認証方式）
図２は、本実施形態に係る認証方式の例を示す図である。図２に示すように、認証方式には、表示部１２の画面を使う方式、カメラ１５を使う方式、マイク１６を使う方式、および、専用センサを使う方式がある。なお、端末１は、必ずしも上記の認証方式の全てを備えていなくてもよいし、その他の認証方式を備えていてもよい。
【００２３】
画面を使う方式では、ユーザにより画面から入力されたパスワード、パターン等が認証の対象になる。カメラ１５を使う方式では、カメラ１５で撮影されたユーザの顔、虹彩等が認証の対象になる。マイク１６を使う方式では、マイク１６で取得されたユーザの声等が認証の対象になる。専用センサを使う方式では、例えば、指紋等が認証の対象になる。
【００２４】
認証方式は、表示部１２に表示されたユーザにより都度選択され、または、事前に設定された優先度に応じて、認証方式選択部１８２により選択される。
【００２５】
（基礎情報）
図３は、本実施形態に係る基礎情報の例を示す図である。基礎情報は、認証方式選択部１８２が認証方式を選択するための情報である。
【００２６】
図３に示すように、基礎情報には、位置情報、時刻情報、速度情報、動作状態、および、イベント情報がある。
【００２７】
認証方式選択部１８２は、位置情報として、位置情報検出部１３から取得した、端末１の現在の緯度、経度、高度の情報を使用する。認証方式選択部１８２は、時刻情報として、通信部１１により正確な時刻を取得して、使用する。認証方式選択部１８２は、時計１４から時刻を取得してもよい。認証方式選択部１８２は、速度情報として、位置情報検出部１３から取得した、端末１の現在の速度の情報を使用する。認証方式選択部１８２は、ユーザの動作状態として、加速度データを取得し、当該加速度により推定される、ユーザの動きを使用する。例えば、加速度データによる動作状態の判定に関しては、加速度の時間的変化を見て、所定値以上の変化があった場合に、ユーザの体動があったと判定してもよい。
【００２８】
認証方式選択部１８２は、通信部１１により、ネットワークに接続されたサーバ（ランドマーク情報サーバ、イベント情報サーバ）から、端末１の位置情報に対応するランドマーク情報を取得し、当該ランドマーク情報に対応するイベント情報を取得して、使用する。ランドマーク情報は、位置情報が示す場所の周辺にあるランドマーク（目印となる特徴的な自然物、建物等）に関する情報である。イベント情報は、ランドマークの内部、周辺等で行われるイベントに関する情報である。
【００２９】
なお、通信部１１による情報の取得に限らず、端末１の記憶部１９が、ランドマーク情報、イベント情報を予め記憶していてもよいし、また、端末１の制御部１８が、近距離無線通信等の通信手段を用いて、ランドマーク自体からランドマーク情報、イベント情報を取得してもよい。
【００３０】
例えば、ランドマークの特定に関しては、位置情報からランドマークを引いてくるデータベースを持つことが考えられるが、端末１は、そのデータベースを、通信部１１によりネットワークのサーバから取得してもよいし、記憶部１９に保持しておいてもよい。
【００３１】
（認証方式の自動選定例）
図４は、本実施形態に係る認証方式の自動選定例を示す図である。認証方式には、長所、短所があり、人が多く、混雑した場所には向かないものがある。
【００３２】
認証方式選択部１８２は、通常時、カメラ１５を使う方式を選択する。
【００３３】
認証方式選択部１８２は、混雑時、移動中の混雑時、体動中の混雑時に、専用センサを使う方式を選択する。逆に言えば、認証方式選択部１８２は、ユーザが混雑している場所にいる場合には、画面、カメラ１５、マイク１６を使う認証方式を選択しない。
【００３４】
例えば、混雑している中でユーザが画面を使うと、画面に対する入力を、周辺にいる人からのぞき見られる危険があるので、認証方式選択部１８２は、画面を使う認証方式を除外する。次に、混雑した場所でユーザがカメラ１５を起動すると、周辺の人から撮影目的と誤解を受ける可能性もあるので、認証方式選択部１８２は、カメラ１５を使う方式を除外する。そして、混雑している中でユーザ自身が声を発するのが難しい可能性もあるので、認証方式選択部１８２は、マイク１６を使う認証方式を除外する。
【００３５】
認証方式選択部１８２は、移動時、体動時に空いている場合に、マイク１６を使う方式を選択する。人が込んでいない場合には、認証方式選択部１８２は、最も簡単な操作で認証可能なマイク１６を使う方式が選択する。
【００３６】
なお、時刻情報、および、イベント情報を取得可能な場合、人が混雑する可能性がある場所にユーザがいたとしても、イベント開催の時間外であれば、認証方式選択部１８２は、認証方式の選択制限を緩める。
【００３７】
また、認証方式選択部１８２は、速度情報から判断して、ユーザが移動中であれば、目線を画面に向ける認証方式を除外する。
【００３８】
さらに、適切な認証方式を周辺の状況に応じて都度選択することは、設定アプリを開くために、まずは既存の認証方式で認証を実行しなければならず、ユーザにとって手間がかかってしまうので、行わない。
【００３９】
（位置情報を利用して認証方式を選択する処理）
図５は、本実施形態に係る、位置情報を利用して認証方式を選択する処理を示すフローチャートである。以下、端末１の制御部１８の処理について説明を行う。本処理において、認証方式選択部１８２は、位置情報に応じて認証方式を選択する。詳細には、制御部１８は、位置情報からランドマークを特定し、当該ランドマークまたはその周辺が混雑した場所の場合、自動設定された認証方式を選択する。
【００４０】
（ステップＳ５０１）
端末１において、制御部１８の位置情報取得部１８１は、位置情報検出部１３から端末１の位置情報を取得する。位置情報取得部１８１は、所定時間ごとに位置情報を取得し、記憶部１９に蓄積しておいて、過去の所定数の位置情報を利用して認証方式を選定してもよい。
【００４１】
（ステップＳ５０２）
制御部１８は、ランドマーク情報を記憶部１９に保持しているか否かを判定する。ランドマーク情報を保持している場合（ステップＳ５０２のＹＥＳ）、制御部１８は、ステップＳ５０３の処理を実行する。ランドマーク情報を保持していない場合（ステップＳ５０２のＮＯ）、制御部１８は、ステップＳ５０６の処理を実行する。
【００４２】
（ステップＳ５０３）
制御部１８は、ランドマークを特定できたか否かを判定する。詳細には、制御部１８は、取得した位置情報に対応するランドマーク情報を取得し、当該ランドマーク情報を参照して、適切なランドマークの存在を確認できたか否かを判定する。ランドマークを特定できた場合（ステップＳ５０３のＹＥＳ）、制御部１８は、ステップＳ５０４の処理を実行する。ランドマークを特定できない場合（ステップＳ５０３のＮＯ）、制御部１８は、ステップＳ５０７の処理を実行する。
【００４３】
（ステップＳ５０４）
制御部１８は、ランドマーク、または、その周辺が混雑した場所か否かを判定する。混雑した場所か否かは、スポーツ施設(野球場、サッカー場等)、娯楽施設(博物館、美術館、映画館、遊園地等)、観光スポット等があるか否かで判定する。
【００４４】
混雑した場所である場合（ステップＳ５０４のＹＥＳ）、制御部１８は、ステップＳ５０５の処理を実行する。混雑した場所でない場合（ステップＳ５０４のＮＯ）、制御部１８は、ステップＳ５０７の処理を実行する。
【００４５】
（ステップＳ５０５）
制御部１８の認証方式選択部１８２は、認証方式を自動設定する。
【００４６】
（ステップＳ５０６）
制御部１８は、通信部１１により、位置情報を用いてネットワーク上を検索して、ランドマーク情報を取得する。その後、ステップＳ５０３の処理を実行する。
【００４７】
（ステップＳ５０７）
制御部１８の認証方式選択部１８２は、既存の設定に応じて認証方式を選択する。
【００４８】
（時刻情報、イベント情報を利用して認証方式を選択する処理）
図６は、本実施形態に係る、時刻情報、イベント情報を利用して認証方式を選択する処理を示すフローチャートである。以下、端末１の制御部１８の処理について説明を行う。本処理において、認証方式選択部１８２は、時刻情報、および、イベント情報に応じて認証方式を選択する。詳細には、制御部１８は、現在時刻、および、ランドマークにおけるイベント情報を取得し、現時点でイベントが開催中の場合、自動設定された認証方式を選択する。
【００４９】
（ステップＳ６０１）
端末１において、制御部１８の位置情報取得部１８１は、位置情報検出部１３から端末１の位置情報を取得する。そして、制御部１８は、取得した位置情報が示す位置（ユーザが所在する位置）、または、その周辺にあるランドマークを特定する。ランドマークの特定に関しては、ステップＳ５０３と同様に行う。
【００５０】
（ステップＳ６０２）
制御部１８のイベント情報取得部１８５は、通信部１１により、特定したランドマーク、または、その周辺で行われるイベントに関するイベント情報の取得を試みる。なお、ユーザのスケジュールアプリからイベント情報の取得を試みてもよい。
【００５１】
（ステップＳ６０３）
制御部１８は、イベント情報取得部１８５がイベント情報を取得できたか否かを判定する。イベント情報を取得できた場合（ステップＳ６０３のＹＥＳ）、ステップＳ６０４の処理を実行する。イベント情報を取得できなかった場合（ステップＳ６０３のＹＥＳ）、ステップＳ６０６の処理を実行する。
【００５２】
（ステップＳ６０４）
制御部１８の時刻情報取得部１８４は、現在時刻を取得し、制御部１８は、取得した現在時刻に、イベント情報が示すイベントが開催中か否かを判定する。イベントが開催中である場合（ステップＳ６０４のＹＥＳ）、ステップＳ６０５の処理を実行する。イベントが開催中でない場合（ステップＳ６０４のＮＯ）、ステップＳ６０６の処理を実行する。
【００５３】
（ステップＳ６０５）
制御部１８の認証方式選択部１８２は、イベントが開催中で混雑した状況下にあるので、認証方式を自動設定する。
【００５４】
（ステップＳ６０６）
制御部１８の認証方式選択部１８２は、既存の設定に応じて認証方式を選択する。
【００５５】
（速度情報を利用して認証方式を選択する処理）
図７は、本実施形態に係る、速度情報を利用して認証方式を選択する処理を示すフローチャートである。以下、端末１の制御部１８の処理について説明を行う。本処理において、認証方式選択部１８２は、位置情報、および、移動判定部１８６の判定結果に応じて、認証方式を選択する。詳細には、制御部１８は、端末１の速度情報から判断して、ユーザが移動中の場合、混雑した場所にいるか否かに応じて、認証方式を選択する。
【００５６】
（ステップＳ７０１）
端末１において、制御部１８の位置情報取得部１８１は、位置情報検出部１３から端末１の位置情報を取得し、制御部１８は、位置情報が示す位置（端末１のユーザが所在する位置）、または、その周辺にあるランドマークを特定する。
【００５７】
（ステップＳ７０２）
制御部１８の移動判定部１８６は、位置情報検出部１３から端末１の速度情報を取得し、当該速度情報に応じて、端末１のユーザが移動中か否かを判定する。なお、移動判定部１８６は、加速度センサによりユーザの体が動いているか否かを判定することで、ユーザが移動中か否かを判定してもよい。
【００５８】
ユーザが移動中である場合（ステップＳ７０２のＹＥＳ）、ステップＳ７０３の処理を実行する。ユーザが移動中でない場合（ステップＳ７０２のＮＯ）、ステップＳ７０５の処理を実行する。
【００５９】
（ステップＳ７０３）
制御部１８は、ランドマーク、または、その周辺が混雑した場所か否かを判定する。混雑した場所か否かは、スポーツ施設(野球場、サッカー場等)、娯楽施設(博物館、美術館、映画館、遊園地等)、観光スポット等があるか否かで判定する。
【００６０】
混雑した場所である場合（ステップＳ７０３のＹＥＳ）、制御部１８は、ステップＳ７０４の処理を実行する。混雑した場所でない場合（ステップＳ７０３のＮＯ）、制御部１８は、ステップＳ７０６の処理を実行する。
【００６１】
（ステップＳ７０４）
制御部１８の認証方式選択部１８２は、専用センサを使う認証方式を選択する。
【００６２】
（ステップＳ７０５）
制御部１８は、図６のステップＳ６０２以降の処理を実行する。
【００６３】
（ステップＳ７０６）
制御部１８の認証方式選択部１８２は、マイク１６を使う認証方式を選択する。
【００６４】
上記の処理により、ユーザが混雑した場所で移動中の場合に、専用センサを使う認証を行わせることにより、ユーザが端末１の画面を見る操作を回避させて、衝突等の危険を防止することができる。
【００６５】
（イベントの混雑判定の実施例）
図８は、本実施形態に係るイベントの混雑判定の基準例を示す図である。以下に、制御部１８が、イベント開催場所が混雑しているか否かを判定する基準例について説明する。
【００６６】
野球場での試合が週末の１８時から２１時に行われる場合、野球の試合では、試合開始直後よりもしばらく経過してから球場が満員になることもあるので、制御部１８は、試合の開始時刻から例えば１時間後以降は混雑していると推定する。また、制御部１８は、主催者発表の入場者数に応じて、野球場が混雑しているか否かを判定する。
【００６７】
なお、野球、サッカー等の試合では、開催されるのが平日か週末かに応じて混雑の状況が変わり得る。例えば、週末開催の場合、制御部１８は、試合開始前から混雑していると判定してもよい。
【００６８】
サッカー場でのコンサートが平日の１３時から１５時に行われる場合、制御部１８は、コンサートの開催時間中は混雑していると推定する。
【００６９】
観光スポットでの祭りが週末の午後に行われる場合、開催時間中は混雑していると推定する。また、制御部１８は、人出予想の人数に応じて、観光スポットが混雑しているか否かを判定する。
【００７０】
コンサート、祭り等のイベントの場合、制御部１８は、開催時間中は混雑していると判定する。
【００７１】
博物館、美術館での展示会が平日、週末の１０時から１９時に行われる場合、制御部１８は、平日よりも週末の方が、また、午前よりも午後の方が、混雑していると推定する。
【００７２】
博物館、美術館での展示会の場合、所定日数の期間中連続して開催されるのが通常なので、平日か週末かに応じて混雑状況は変わり、また、平日でも夕方以降は混雑することが推定される。
【００７３】
〔ソフトウェアによる実現例〕
端末１の制御ブロック（制御部１８内の各機能ブロック）は、集積回路（ＩＣチップ）等に形成された論理回路（ハードウェア）によって実現してもよいし、ソフトウェアによって実現してもよい。
【００７４】
後者の場合、端末１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７５】
〔まとめ〕
本発明の態様１に係る携帯端末装置（端末１）は、位置情報検出部（１３）と、制御部（１８）と、を備えた携帯端末装置であって、上記制御部が、上記位置情報検出部が検出した上記携帯端末装置の位置情報を参照して認証方式を特定し、特定した認証方式による認証を行う。
【００７６】
上記の構成によれば、携帯端末装置の位置情報を参照して認証方式を特定するので、携帯端末装置のユーザが所在する場所の状況に応じた認証を行うことができる。
【００７７】
本発明の態様２に係る携帯端末装置は、上記態様１において、時刻情報出力部（１４）と、通信部（１１）と、をさらに備え、上記制御部が、上記時刻情報出力部から時刻情報を取得し、上記位置情報が示す位置で行われるイベントに関するイベント情報を、上記通信部を介して取得し、上記時刻情報、および、上記イベント情報を参照して上記認証方式を特定することとしてもよい。
【００７８】
上記の構成によれば、時刻情報、および、携帯端末装置のユーザが所在する場所で行われるイベント情報を参照して、認証方式を特定するので、さらに適切な認証を行うことができる。
【００７９】
本発明の態様３に係る携帯端末装置は、上記態様１において、上記制御部が、上記位置情報を参照して、上記携帯端末装置のユーザが移動中か否かを判定し、上記位置情報、および、上記判定した結果を参照して、認証方式を特定することとしてもよい。
【００８０】
上記の構成によれば、位置情報、および、携帯端末装置のユーザが移動中か否かの判定結果を参照して、認証方式を特定するので、さらに適切な認証を行うことができる。
【００８１】
本発明の態様４に係る携帯端末装置（端末１）は、当該携帯端末装置の位置情報を取得する位置情報取得部（１８１）と、上記位置情報に応じて、認証方式を特定する認証方式特定部（認証方式選択部１８２）と、上記認証方式特定部が特定した認証方式による認証を行う認証部（１８３）と、を備えている。
【００８２】
上記の構成によれば、携帯端末装置の位置情報に応じて認証方式を特定するので、携帯端末装置のユーザが所在する場所の状況に応じた認証を行うことができる。
【００８３】
本発明の各態様に係る携帯端末装置は、コンピュータによって実現してもよく、この場合には、コンピュータを上記携帯端末装置が備える各部（制御部、位置情報取得部、認証方式選択部、認証部等のソフトウェア要素）として動作させることにより上記携帯端末装置をコンピュータにて実現させる（携帯端末装置の制御部としてコンピュータを機能させるための）携帯端末装置の制御プログラム、およびそれを記録したコンピュータ読み取り可能な記録媒体も、本発明の範疇に入る。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８５】
１  端末（携帯端末装置）
１１  通信部
１３  位置情報検出部
１４  時計（時刻情報出力部）
１８  制御部
１８１  位置情報取得部
１８２  認証方式選択部（認証方式特定部）
１８３  認証部
【図１】
2019075007.tif 000003
【図２】
2019075007.tif 000004
【図３】
2019075007.tif 000005
【図４】
2019075007.tif 000006
【図５】
2019075007.tif 000007
【図６】
2019075007.tif 000008
【図７】
2019075007.tif 000009
【図８】
2019075007.tif 000010